(57)【要約】【課題】防水紙と外壁との間から、水滴が家屋内に浸入することを防止する。【解決手段】換気スリット９の上方の外壁７に沿って液密に取り付けられた板状の取付体２２と、この取付体２２の下端側が屋根材２側に屈曲して形成されるとともに、換気スリット９の上方を覆う排水体２３を有する排水部材２０と、屋根材２上に設けられ、その内部には、換気スリット９から屋根材２上面に通じる通流路３４が形成された換気部３１と、板状に形成され、その下端部が換気部３１上面に沿って設けられ、その上端部は排水体２３の上方に、排水体２３から離間しつつ、外壁７側に延設された第１雨押え部３２と、第１雨押え部３２の上端から、上方に屈曲し、外壁７に沿って形成された板状の第２雨押え部３３を有する雨押え部材３０と、上端側が外壁７に固定されつつ、外壁７に沿って設けられ、その下端部が取付体２２の外壁７とは反対側に接着された防水紙４０とを備える。【選択図】図３
2014202026.tif 000002
【特許請求の範囲】
【請求項１】
家屋の外壁と屋根材との間の換気孔に設けられる換気雨押え構造において、
前記換気孔の上方の前記外壁に沿って液密に取り付けられた取付体と、この取付体の下端側が前記屋根材に沿って設けられるとともに、前記換気孔の上方を覆う排水体を有する排水部材と、
前記屋根材上に設けられ、その内部には、前記換気孔から前記屋根材上面に通じる通流路が形成された換気体と、板状に形成され、その下端部が前記換気体上面に沿って設けられ、その上端部は前記排水体の上方に位置するとともに、前記外壁側に延設された第１雨押え体と、前記第１雨押え体の上端から、上方に屈曲し、前記外壁に沿って形成された板状の第２雨押え体を有する雨押え部材と、
上端側が前記外壁に固定されつつ、前記外壁に沿って設けられ、その下端部が前記取付体の前記外壁とは反対側に位置する防水紙とを備えることを特徴とする換気雨押え構造。
【請求項２】
前記排水体の上面には、前記排水体に配置される土台板と、前記土台板上に、前記外壁側から離間する方向に沿って形成された仕切板と、前記仕切板上に形成された天板とを有する排水路形成体が設けられていることを特徴とする請求項１に記載の換気雨押え構造。
【請求項３】
前記排水体と前記屋根材との間には、前記排水体に沿って設けられ、前記排水体を支持するとともに、前記換気孔から前記屋根材上方へ通じる通気路を有する換気部材を備えることを特徴とする請求項１に記載の換気雨押え構造。
【請求項４】
前記天板と前記第１雨押え体との間には、前記天板に沿って形成された笠木を備えることを特徴とする請求項２に記載の換気雨押え構造。
【請求項５】
その上面で雨水を案内し、その内部で水滴を案内する換気雨押えにおいて、
その内部に通流路が形成された換気体と、その一端側が前記換気体の上部に取り付けられ、その上面で前記雨水を案内する板状の第１雨押え体と、前記第１雨押え体の他端から上方へ屈曲して形成され、前記第１雨押え体の上面に前記雨水を案内する第２雨押え体とを有する雨押え部材と、
前記第１雨押え体の下面に、前記第１雨押え体と前記第２雨押え体との境界部に沿って設けられ、前記第１雨押え体の下面側に形成された排水体と、前記第２雨押え体の前記第１雨押え体の上面側とは反対側の面に沿って設けられ、外部との取付けに供される取付体とを有し、前記第２雨押え体の前記取付体側に発生した前記水滴を、前記第２雨押え部と前記取付体との間、及び、前記第１雨押え部と前記排水体との間で、前記通流路に案内する排水部材とを備えることを特徴とする換気雨押え。
【請求項６】
前記排水体と前記第１雨押え体との間には、前記排水体の上面に配置される土台板と、前記土台板の上面に設けられた仕切板と、前記仕切板の上部に設けられ、前記第１雨押え体に取り付けられる天板とを有する排水路形成体を備えることを特徴とする請求項５に記載の換気雨押え。
【請求項７】
前記排水体の下面側には、その内部に通気路を有する換気部材が設けられていることを特徴とする請求項５に記載の換気雨押え。
【請求項８】
前記天板と前記第１雨押え体との間には、前記天板に沿って形成された笠木を備えることを特徴とする請求項６に記載の換気雨押え。
【発明の詳細な説明】
【技術分野】
【０００１】
本発明は、家屋の外壁と屋根材との間に設けられた換気孔からの雨水の浸入を防ぐ換気雨押え構造及び換気雨押えに関する。
【背景技術】
【０００２】
家屋の外壁と屋根材との境界部から、雨水や結露等の水滴が浸入することを防止する方法として、雨押え構造が知られている。
【０００３】
この雨押え構造は、例えば図１に示す家屋１の、壁部３と屋根材２の境界部に設けられる。図９、図１０に示すように、壁部３は、ベニヤ板等の外壁９１と、外壁９１の外側に位置し、風雨を受けるサイディング９２とを有している。サイディング９２と外壁９１の間には防水紙９４が設けられている。屋根材２は、外壁９１から下方に傾斜して設けられている。
【０００４】
雨押え構造９３は、家屋１の壁部３と屋根材２の境界部の上方を覆う位置に設けられ、雨水や結露等の水滴の浸入を防ぐ機能を有している。すなわち、サイディング９２が風雨を受けると、雨水はサイディング９２上を伝わり、外壁９１と屋根材２との境界部に滴下する。雨押え構造９３は、この雨水を受けて屋根材２上に案内することで、雨水が家屋内に浸入することを防止する。
【０００５】
サイディング９２の内側に雨水が浸入した場合や、結露により水滴が発生する場合であっても、図９、図１０に示す防水紙９４とサイディング９２との間を伝わって雨押え構造９３上に流れ落ち、屋根材２上に案内される。
【０００６】
なお、上述した雨押え構造に、家屋内の換気を行う機能を付加した換気雨押え構造も同様に知られている（例えば、特許文献１及び２参照。）。この換気雨押え構造では、屋根材と外壁との境界部に換気スリット等の換気孔が形成されている。換気雨押え構造の内部には、換気スリットから屋根材の上面に通じる通流路が形成されており、家屋内の換気を可能としている。
【先行技術文献】
【特許文献】
【０００７】
【特許文献１】特開２０１３−０３２６２１号公報
【特許文献２】特開２００６−０６３７２５号公報
【発明の概要】
【発明が解決しようとする課題】
【０００８】
上述した換気雨押え構造、及び、換気雨押え構造に用いられる換気雨押えでは、次のような問題があった。すなわち、外壁に窓構造等が設けられている場合、外壁と窓構造との間から、雨水や結露による水滴が防水紙と外壁の間に浸入する虞がある。この水滴は、防水紙と外壁の間を通り、換気スリットから家屋内に浸入する。このため、換気スリットの防水が十分にできない問題があった。
【０００９】
そこで本発明は、防水紙と外壁との間から、水滴が家屋内に浸入することを防止できる換気雨押え構造を提供することを目的としている。
【課題を解決するための手段】
【００１０】
前記課題を解決し目的を達成するために、本発明の換気雨押え構造は次のように構成されている。
【００１１】
家屋の外壁と屋根材との間の換気孔に設けられる換気雨押え構造において、前記換気孔の上方の前記外壁に沿って液密に取り付けられた取付体と、この取付体の下端側が前記屋根材に沿って設けられるとともに、前記換気孔の上方を覆う排水体を有する排水部材と、前記屋根材上に設けられ、その内部は、前記換気孔から前記屋根材上面に通じる通流路が形成された換気体と、板状に形成され、その下端部が前記換気体上面に沿って設けられ、その上端部は前記排水体の上方に位置するとともに、前記外壁側に延設された第１雨押え体と、前記第１雨押え体の上端から、上方に屈曲し、前記外壁に沿って形成された板状の第２雨押え体を有する雨押え部材と、上端側が前記外壁に固定されつつ、前記外壁に沿って設けられ、その下端部が前記取付体の前記外壁とは反対側に接着された防水紙とを備えることを特徴とする。
【００１２】
その上面で雨水を案内し、その内部で水滴を案内する換気雨押えにおいて、その内部に通流路が形成された換気体と、その一端側が前記換気体の上部に取り付けられ、その上面で前記雨水を案内する板状の第１雨押え体と、前記第１雨押え体の他端から上方へ屈曲して形成され、前記第１雨押え体の上面に前記雨水を案内する第２雨押え体とを有する雨押え部材と、前記第１雨押え体の下面に、前記第１雨押え体と前記第２雨押え体との境界部に沿って設けられ、前記第１雨押え体の下面側に形成された排水体と、前記第２雨押え体の前記第１雨押え体の上面側とは反対側の面に沿って設けられ、外部との取付けに供される取付体とを有し、前記第２雨押え体の前記取付体側に発生した前記水滴を、前記第２雨押え部と前記取付体との間、及び、前記第１雨押え部と前記排水体との間で、前記通流路に案内する排水部材とを備えることを特徴とする。
【発明の効果】
【００１３】
本発明によれば、防水紙と外壁との間から、水滴が家屋内に浸入することを防止できる。
【図面の簡単な説明】
【００１４】
【図１】本発明の第１の実施の形態に係る換気雨押え構造を有する家屋を示す斜視図。
【図２】同換気雨押え構造を一部破断して示す斜視図。
【図３】同換気雨押え構造を示す断面図。
【図４】同換気雨押え構造の排水部材を示す斜視図。
【図５】本発明の第２の実施の形態に係る換気雨押え構造を、一部破断して示す斜視図。
【図６】同換気雨押え構造を示す断面図。
【図７】本発明の第３の実施の形態に係る換気雨押え構造を、一部破断して示す斜視図。
【図８】同換気雨押え構造を示す断面図。
【図９】一般的な雨押え構造を一部破断して示す斜視図。
【図１０】同雨押え構造を示す断面図。
【発明を実施するための形態】
【００１５】
図１は換気雨押え構造（換気雨押え）１０が配置される家屋１を示す斜視図、図２は換気雨押え構造１０を一部破断して示す斜視図、図３は換気雨押え構造１０を示す断面図、図４は排水部材２０を示す斜視図である。
【００１６】
図１に示すように、家屋１は、１階部分１ａと２階部分１ｂとを有する２階建構造である。２階部分１ｂは、垂直に形成された壁部３を有している。１階部分１ａの屋根材２は、２階部分１ｂの壁部３から下方に傾斜して設けられている。屋根材２と壁部３との境界部４（４ａ，４ｂ）には、図３に示すように、家屋１内部の換気を行う換気スリット９が設けられている。境界部４は、屋根材２の傾斜の上下方向に対し垂直に形成された境界部（平行壁際）４ａと、屋根材２の傾斜の上下方向に沿って形成された境界部（流壁際）４ｂとを有している。
【００１７】
壁部３は、図２に示すように、家屋１の骨組である柱６に固定された外壁７と、柱６に外壁７を介して固定されたサイディング８とを有している。外壁７は、例えば合板等の木製の板材７ａと、板材７ａの、柱６とは反対側の面に貼り付けられた防水性のルーフィング７ｂとを有している。
【００１８】
サイディング８は、胴縁８ａ、後述する防水紙４０、外壁７を介し、柱６に固定されている。サイディング８は、風雨を受け、外壁７に直接風雨が当たることを防止する機能を有している。壁部３には、図１に示すように、例えば窓構造５が設けられており、後述する防水紙４０は窓構造５まで延設されている。
【００１９】
換気雨押え構造１０は、図３に示すように、境界部４に形成された換気スリット９の上方を覆う位置に設けられている。換気雨押え構造１０は、換気スリット９の上方に位置しつつ、外壁７に取り付けられた排水部材２０と、屋根材２に設けられた雨押え部材３０と、外壁７とサイディング８との間に、外壁７に沿って設けられた防水紙４０とを備えている。
【００２０】
排水部材２０は、例えば金属板を屈曲させて形成されている。排水部材２０は、外壁７に取り付けられる取付体２２と、この取付体２２の下端側が屋根材２側に屈曲して形成される排水体２３とを有している。
【００２１】
取付体２２の上端には、外壁７及び取付体２２の上端に沿って防水テープ２６が貼られている。防水テープ２６は、防水紙４０裏面及び外壁７を伝わる水滴が、取付体２２と外壁７との間に浸入することを防止する機能を有している。すなわち、防水テープ２６により、取付体２２と外壁７との間は液密に形成されている。
【００２２】
排水体２３は、換気スリット９の上方を覆いつつ、屋根材２に沿って形成されている。排水体２３の下端部は、後述する換気部（換気体）３１の内部に位置している。
【００２３】
雨押え部材３０は、屋根材２上に取り付けられた換気部３１と、この換気部３１の上面にその下端部が設けられ、外壁７側にその上端部が延出する第１雨押え部（第１雨押え体）３２と、第１雨押え部３２の上端から、外壁７に沿って上方に延出する第２雨押え部（第２雨押え体）３３とを有している。
【００２４】
換気部３１の内部には、換気スリット９から屋根材２上に通じる通流路３４が形成されている。通流路３４は、家屋１の内部から屋根材２上への換気を可能とする機能を有している。
【００２５】
第１雨押え部３２は、換気部３１の上面から外壁７側に延設されている。第１雨押え部３２は、排水体２３の上方に離間して形成されている。第１雨押え部３２の上端には、外壁７に沿って上方に延設された第２雨押え部３３が設けられている。第２雨押え部３３の上端は、サイディング８と外壁７との間に位置している。また、第２雨押え部３３のサイディング８側の面には、外壁７に沿って設けられた防水紙４０の下端部が貼り付けられている。第２雨押え部３３と防水紙４０との貼り付けには、防水両面テープ４１が用いられている。すなわち、第２雨押え部３３と防水紙４０との間は液密に形成されている。
【００２６】
上述した換気雨押え構造１０は、風雨や結露により発生する水滴を、次のようにして排水する。
【００２７】
弱い風雨が発生している場合は、雨水はサイディング８に当たり、サイディング８の下方の第１雨押え部３２に滴下する。この雨水は第１雨押え部３２上を通り、屋根材２上に流れる。
【００２８】
強い風雨、例えば、第１雨押え部３２の上面、及び、第２雨押え部３３の外壁７とは反対側の面を吹き上がる強い風が発生した場合、第１雨押え３２に滴下した雨水は、風に吹かれて、第１雨押え３２の上面、及び、第２雨押え部３３の外壁７とは反対側の面を這い登る。しかしながら、第２雨押え部３３のサイディング８側の面と防水紙４０の下端部は、防水両面テープ４１により、液密に封じられている。このため、雨水がサイディング８の外壁７側に浸入した場合であっても、防水紙４０と外壁７との間に浸入することはない。サイディング８と外壁７との間に浸入した雨水は、再び第２雨押え部３３の外壁７とは反対側の面、及び、第１雨押え部３２上を通り、屋根材２上に流れる。したがって、雨水は換気スリット９を通ることはなく、家屋１内に浸入することもない。
【００２９】
サイディング８と防水紙４０との間に結露が発生した場合、この結露により生じる水滴は防水紙４０とサイディング８との間を下方に向かって流れ落ち、第１雨押え部３２の上面に滴下する。後述する強い風雨が発生していない場合は、第１雨押え部３２の上面に滴下した水滴は、第１雨押え部３２上を通り、屋根材２上に案内される。
【００３０】
第１雨押え部３２の上面、及び、第２雨押え部３３の外壁７とは反対側の面を吹き上がる強い風が発生している場合、この風に吹かれ、第１雨押え部材３２の上面に滴下した水滴は再びサイディング８の外壁７側に浸入する。しかしながら、第２雨押え部３３のサイディング８側の面と防水紙４０の下端部が、防水両面テープ４１により液密に封じられているため、防水紙４０と外壁７との間に浸入することはなく、家屋１内に浸入することもない。
【００３１】
サイディング８の外壁７側に浸入した水滴は、第１雨押え部３２に滴下し、屋根材２上に流れる。このため、サイディング８と防水紙４０との間に、結露による水滴が発生しても、この水滴が換気スリット９を通ることはなく、家屋１内に浸入することもない。
【００３２】
防水紙４０と外壁７との間に、結露による水滴が発生した場合、若しくは、屋根材２と外壁７とのとりあい部や、窓構造５が設けられた位置等から、防水紙４０と外壁７との間に雨水等が浸入した場合、結露や雨水による水滴は防水紙４０と外壁７との間を下方に流れ落ちる。
【００３３】
防水紙４０と外壁７との間の水滴は、防水紙４０の下端部が貼り付けられた第２雨押え部３３に向かって流れ落ちる。この際、第２雨押え部３３と防水紙４０との間は液密に形成されているため、水滴は第２雨押え部３３と外壁７との間に伝わり、取付体２２に向かって流れ落ちる。
【００３４】
取付体２２と外壁７との間は防水テープ２６によって液密に形成されているため、水滴は取付体２２の外壁７とは反対側の面を通り、排水体２３上を流れる。排水体２３は換気スリット９の上方を覆いつつ、その下端は換気部３１の内部に位置している。このため、水滴は排水体２２の上面を流れ、換気部３１の内部を通り、屋根材２上に案内される。
【００３５】
したがって、防水紙４０と外壁７との間に発生した水滴は換気スリット９を通ることはなく、家屋内に浸入することもない。
【００３６】
上述したように、本発明の第１の実施の形態に係る換気雨押え構造１０によれば、外壁７と防水紙４０との間に結露が発生した場合や、窓構造５等と外壁７との境界から雨水が浸入した場合であっても、排水部材２０を設けることで、水滴を屋根材２上に案内することが可能である。このため、この水滴が換気スリット９から家屋１内に浸入することを防止できる。
【００３７】
上述したように、本発明によれば、防水紙と外壁との間から水滴が家屋内に浸入することを防止できる。
【００３８】
図５は本発明の第２の実施の形態に係る換気雨押え構造１０Ａを、一部破断して示す斜視図、図６は換気雨押え構造１０Ａを示す断面図である。なお、図５、図６において、図２〜４と同一機能部分には同一符号を付し、詳細な説明は省略する。
【００３９】
換気雨押え構造１０Ａは、換気スリット９の上方に位置しつつ、外壁７に取り付けられた排水部材５０と、屋根材２に設けられた雨押え部材３０と、外壁７とサイディング８との間に、外壁７に沿って設けられた防水紙４０とを備えている。すなわち、換気雨押え構造１０Ａには、上述した換気雨押え構造１０における排水部材２０に代わり、排水部材５０が設けられている。
【００４０】
排水部材５０は、上述した排水部材２０と同様に、取付体２２、排水体２３を有している。排水部材５０は更に、排水体２３の上部に排水路形成部（排水路形成体）５３を有している。排水路形成部５３は、排水体２３の上面に配置される土台板５４と、土台板５４上に、外壁７側から離間する方向に沿って形成された仕切板５５と、仕切板５５上に形成された天板５６を有している。天板５６、土台板５４、仕切板５５は、排水路形成部５３の内部に、水滴を案内する排水路５７を形成している。
【００４１】
このように形成された換気雨押え構造１０Ａは、風雨や結露により発生する水滴を、上述した換気雨押え構造１０と同様に排水することが可能である。さらに、排水路形成部５３により、外壁７から伝わる水滴を屋根材２上に確実に案内することが可能である。また、排水路形成部５３は、仕切板５５により、雨押え部材３０を下方から支持している。このため、換気雨押え構造１０Ａの強度を高めることも可能である。
【００４２】
上述したように、本発明の第２の実施の形態に係る換気雨押え構造１０Ａによれば、上述した換気雨押え構造１０と同様の効果を得ることが可能である。更に、排水路形成部５３により、排水体２３と第１雨押え部３２との間の間隔を確保し、換気雨押え構造１０Ａの強度も高めることができる。また、排水路５７により、外壁７から伝わる水滴を屋根材２上に確実に案内することが可能である。
【００４３】
上述したように、本発明によれば、防水紙と外壁との間から、水滴が家屋内に浸入することを防止できる。
【００４４】
図７は本発明の第３の実施の形態に係る換気雨押え構造１０Ｂを一部破断して示す斜視図、図８は換気雨押え構造１０Ｂを示す断面図である。なお、図７、図８において、図２〜６と同一機能部分には同一符号を付し、詳細な説明は省略する。なお、換気雨押え構造１０Ｂでは、排水部材５０の排水路５７は、図７、図８に示すように、後述する換気部材７０、笠木８０に沿って延設されている。
【００４５】
換気雨押え構造１０Ｂは、換気スリット９の上方に位置しつつ、外壁７に取り付けられた排水部材５０と、排水部材５０と屋根材２との間に設けられた換気部材７０と、排水部材５０の上面に設けられた笠木８０と、笠木８０の上面に設けられた雨押え部材６０とを備えている。
【００４６】
雨押え部材６０は、その下部が笠木８０の上面に設けられた第１雨押え部６１と、第１雨押え部６１の上端から上方に延出する第２雨押え部６２とを有している。第２雨押え部６２は、上述した第２雨押え部３３と同様に、防水紙４０と外壁７との間に設けられ、防水紙４０の下端部と防水両面テープ４１で接着されている。第１雨押え部６１は、図７、図８に示すように、笠木８０に沿って屈曲し、釘材Ｋによって笠木８０に固定されている。
【００４７】
換気部材７０の断面形状は、例えば、複数の通気路７１を有するハニカム構造である。通気路７１は、換気スリット９から屋根材２の上方に通じている。
【００４８】
このように形成された換気雨押え構造１０Ｂは、風雨や結露により発生する水滴を、上述した換気雨押え構造１０及び換気雨押え構造１０Ａと同様に排水することが可能である。また、換気部材７０により、家屋１内から屋根材２上への換気も可能である。
【００４９】
上述したように、本発明の第３の実施の形態に係る換気雨押え構造１０Ｂによれば、上述した換気雨押え構造１０Ａと同様の効果を得ることが可能である。
【００５０】
上述したように、本発明によれば、防水紙と外壁との間から結露が家屋内に浸入することを防止できる。
【００５１】
なお、本発明は上記実施の形態に限定されるものではない。例えば、雨押え部材に十分な剛性を付加し、笠木を用いない場合にも、同様に適用できる。また、上述した例では、金属板で形成された排水部材を用いているが、これが樹脂製である場合や、シート状であっても同様に適用できる。排水部材の排水体は、上述した例では、雨押え部材と離間させ、排水を可能としているが、排水体と雨押え部材とを離間させず、排水体に排水を行うための溝を設ける方法でも、同様に適用できる。
【００５２】
更に、上記実施の形態では、家屋の壁部にサイディングを用いているが、これがモルタルや板貼り構造等であっても、同様に適用できるのは勿論である。この他、本発明の要旨を逸脱しない範囲で種々変形実施可能であるのは勿論である。
【符号の説明】
【００５３】
１…家屋、２…屋根材、３…壁部、４…境界部、７，９１…外壁、９…換気スリット、１０，１０Ａ，１０Ｂ…雨押え構造、２０，５０…排水部材、２２…取付体、２３…排水体、２６…防水テープ、３０，６０…雨押え部材、３１…換気部、３２，６１…第１雨押え部、３３，６２…第２雨押え部、３４…通流路、４０，９４…防水紙、４１…防水両面テープ、５３…排水路形成部、５４…土台板、５５…仕切板、５６…天板、５７…排水路、７０…換気部材、７１…通気路、８０…笠木。
【図１】
2014202026.tif 000003
【図２】
2014202026.tif 000004
【図３】
2014202026.tif 000005
【図４】
2014202026.tif 000006
【図５】
2014202026.tif 000007
【図６】
2014202026.tif 000008
【図７】
2014202026.tif 000009
【図８】
2014202026.tif 000010
【図９】
2014202026.tif 000011
【図１０】
2014202026.tif 000012